(57)【特許請求の範囲】
【請求項１】
浴槽に設けた吸入口と吐出口との間を結ぶ追い焚き用循環流路と給水を通すための給湯流路とが所定の加熱装置で加熱される共通の熱交換器を経由した一缶多水路型給湯風呂釜であって、前記給湯流路から前記熱交換器の出側の所定箇所で分岐し前記追い焚き用循環流路に前記熱交換器を経由する部分以外の所定箇所で合流する注湯連絡管と、前記注湯連絡管の途中に設けられ前記給湯流路内の水を前記注湯連絡管を通じて前記追い焚き用循環流路側に流すか否かを切り替える注湯切替弁とを備え、前記給湯流路で加熱された湯を前記注湯連絡管および前記追い焚き用循環流路を通じて前記浴槽に流し込む注湯動作と給湯動作とを同時に行う際に前記加熱装置の加熱量が給湯側の温度を基準に制御されるものにおいて、
注湯経路切替手段と、注湯経路切替制御手段と、設定温度比較手段とを備え、
前記設定温度比較手段は、浴槽側設定温度と給湯側設定温度とを比較するものであり、
前記注湯経路切替手段は、前記注湯連絡管を通じて前記追い焚き用循環流路内に流れ込んだ水の一部または全部が前記熱交換器を再度経由して前記浴槽に流れ込む再加熱状態と前記注湯連絡管を通じて前記追い焚き用循環流路内に流れ込んだ水の全部が前記熱交換器を再度経由することなく前記浴槽に流れ込む非再加熱状態とに注湯時の経路状態を切り換えるものであり、
前記注湯経路切替制御手段は、給湯動作と注湯動作とが同時に行われかつ給湯側設定温度が浴槽側設定温度よりも低いときは前記再加熱状態が形成されるように前記注湯経路切替手段を設定し、給湯動作と注湯動作とが同時に行われかつ給湯側設定温度が浴槽側設定温度と等しいかまたは高いときは前記非再加熱状態が形成されるように前記注湯経路切替手段を設定するものであることを特徴とする一缶多水路型給湯風呂釜。
【請求項２】
浴槽に設けた吸入口と吐出口との間を結ぶ追い焚き用循環流路と給水を通すための給湯流路とが所定の加熱装置で加熱される共通の熱交換器を経由した一缶多水路型給湯風呂釜であって、前記給湯流路から前記熱交換器の出側の所定箇所で分岐し前記追い焚き用循環流路に前記熱交換器を経由する部分以外の所定箇所で合流する注湯連絡管と、前記注湯連絡管の途中に設けられ前記給湯流路内の水を前記注湯連絡管を通じて前記追い焚き用循環流路側に流すか否かを切り替える注湯切替弁とを備え、前記給湯流路で加熱された湯を前記注湯連絡管および前記追い焚き用循環流路を通じて前記浴槽に流し込む注湯動作と給湯動作とを同時に行う際に前記加熱装置の加熱量が給湯側の温度を基準に制御されるものにおいて、
注湯経路切替手段と、注湯経路切替制御手段と、設定温度比較手段と、給水混合流路と、混合量調整弁と、混合量制御手段とを備え、
前記設定温度比較手段は、浴槽側設定温度と給湯側設定温度とを比較するものであり、
前記注湯経路切替手段は、前記注湯連絡管を通じて前記追い焚き用循環流路内に流れ込んだ水の一部または全部が前記熱交換器を再度経由して前記浴槽に流れ込む再加熱状態と前記注湯連絡管を通じて前記追い焚き用循環流路内に流れ込んだ水の全部が前記熱交換器を再度経由することなく前記浴槽に流れ込む非再加熱状態とに注湯時の経路状態を切り換えるものであり、
前記注湯経路切替制御手段は、給湯動作と注湯動作とが同時に行われかつ給湯側設定温度が浴槽側設定温度よりも低いときは前記再加熱状態が形成されるように前記注湯経路切替手段を設定し、給湯動作と注湯動作とが同時に行われかつ給湯側設定温度が浴槽側設定温度と等しいかまたは高いときは前記非再加熱状態が形成されるように前記注湯経路切替手段を設定するものであり、
前記給水混合流路は、前記給湯流路から前記熱交換器の入側の所定箇所で分岐しかつ前記追い焚き用循環流路に所定箇所で合流したものであり、
前記混合量調整弁は、前記給水混合流路を通じて前記追い焚き用循環流路に流し込む給水の流量を調整するものであり、
前記混合量制御手段は、給湯動作と注湯動作とが同時に行われているときであって前記混合量調整弁を閉じた状態では前記浴槽への注湯温度が前記浴槽側設定温度より高くなるとき、前記混合量調整弁を開いて前記給水混合流路から前記追い焚き用循環流路に給水を流し込むものであることを特徴とする一缶多水路型給湯風呂釜。
【請求項３】
浴槽に設けた吸入口と吐出口との間を結ぶ追い焚き用循環流路と給水を通すための給湯流路とが所定の加熱装置で加熱される共通の熱交換器を経由した一缶多水路型給湯風呂釜であって、前記給湯流路から前記熱交換器の出側の所定箇所で分岐し前記追い焚き用循環流路に前記熱交換器を経由する部分以外の所定箇所で合流する注湯連絡管と、前記注湯連絡管の途中に設けられ前記給湯流路内の水を前記注湯連絡管を通じて前記追い焚き用循環流路側に流すか否かを切り替える注湯切替弁とを備え、前記給湯流路で加熱された湯を前記注湯連絡管および前記追い焚き用循環流路を通じて前記浴槽に流し込む注湯動作と給湯動作とを同時に行う際に前記加熱装置の加熱量が給湯側の温度を基準に制御されるものにおいて、
注湯経路切替手段と、注湯経路切替制御手段と、給水混合流路と、混合量調整弁と、混合量制御手段とを備え、
前記注湯経路切替手段は、前記注湯連絡管を通じて前記追い焚き用循環流路内に流れ込んだ水の一部または全部が前記熱交換器を再度経由して前記浴槽に流れ込む再加熱状態と前記注湯連絡管を通じて前記追い焚き用循環流路内に流れ込んだ水の全部が前記熱交換器を再度経由することなく前記浴槽に流れ込む非再加熱状態とに注湯時の経路状態を切り換えるものであり、
前記給水混合流路は、前記給湯流路から前記熱交換器の入側の所定箇所で分岐しかつ前記追い焚き用循環流路に所定箇所で合流したものであり、
前記混合量調整弁は、前記給水混合流路を通じて前記追い焚き用循環流路に流し込む給水の流量を調整するものであり、
前記混合量制御手段は、給湯動作と注湯動作とが同時に行われているとき、前記浴槽への注湯温度が浴槽側設定温度になるように前記混合量調整弁の開度を制御するものであり、
前記注湯経路切替制御手段は、常時は前記再加熱状態が形成されるように前記注湯経路切替手段を設定するとともに、給湯動作と注湯動作とが同時に行われているときであって前記混合量調整弁を全開にしても前記浴槽への注湯温度が前記浴槽側設定温度より高くなったとき、前記非再加熱状態が形成されるように前記注湯経路切替手段を設定するものであることを特徴とする一缶多水路型給湯風呂釜。
【請求項４】
前記注湯経路切替手段は、流路を開通させるか閉鎖するかを切り換える切替弁であって、前記注湯連絡管が前記追い焚き用循環流路に合流する箇所を境に前記追い焚き用循環流路を熱交換器経由側と熱交換器非経由側とに分けたうち、前記熱交換器経由側の配管部分に取り付けたものであることを特徴とする請求項１、２または３記載の一缶多水路型給湯風呂釜。
【請求項５】
前記注湯連絡管を通じて前記追い焚き用循環流路内に流れ込んだ水のうち少なくとも前記熱交換器を再度経由して前記浴槽に流れ込む側の水量を調整する水量調整手段を具備することを特徴とする請求項１、２、３または４記載の一缶多水路型給湯風呂釜。
【発明の詳細な説明】
【０００１】
【発明の属する技術分野】
本発明は、浴槽に設けた吸入口と吐出口との間を結ぶ追い焚き用循環流路と給水を通すための給湯流路とが所定の加熱装置で加熱される共通の熱交換器を経由した一缶多水路型給湯風呂釜であって、前記給湯流路から前記熱交換器の出側の所定箇所で分岐し前記追い焚き用循環流路に前記熱交換器を経由する部分以外の所定箇所で合流する注湯連絡管と、前記注湯連絡管の途中に設けられ前記給湯流路内の水を前記注湯連絡管を通じて前記追い焚き用循環流路側に流すか否かを切り替える注湯切替弁とを備え、前記給湯流路で加熱された湯を前記注湯連絡管および前記追い焚き用循環流路を通じて前記浴槽に流し込む注湯動作と給湯動作とを同時に行う際に前記加熱装置の加熱量が給湯側の温度を基準に制御されるものに関する。
【０００２】
【従来の技術】
従来から使用されている一缶多水路型給湯風呂釜は、給湯流路側で昇温された水を出湯栓へ導くほか、給湯流路側で昇温された水を電磁弁等を備えた注湯連絡管を介して追い焚き用循環流路側に流し込むことで浴槽へ注湯し得るようになっている。
【０００３】
注湯連絡管を通じて給湯流路側から追い焚き用循環流路の途中に送り込まれた水は、通常、いわゆるダブル搬送されて浴槽に注湯される。すなわち、給湯流路側から追い焚き用循環流路の途中に送り込まれた水は、再度、熱交換器を経由して浴槽に流れ込むものと、熱交換器を再度経由することなくそのまま浴槽に流れこむものの二手に分かれて浴槽に落とし込まれていた。このように二手に分かれた水のうち熱交換器を再度経由するものは、ここで再加熱されるので、給湯流路側で加熱した後の湯温よりもさらに高い温度になって浴槽へ落とし込まれていた。
【０００４】
特開平８−２３３３６３号公報には、注湯連絡管から追い焚き用循環流路に流れ込んだ水が、再度、熱交換器を経由することなく浴槽に落とし込まれるように構成した給湯装置が開示されている。この装置では、注湯連絡管が追い焚き用循環流路に合流する箇所に三方弁を設け、当該三方弁を境にして追い焚き用循環流路を熱交換器経由側と熱交換器非経由側とに分けている。
【０００５】
そして追い焚き時には、追い焚き循環流路の熱交換器経由側と熱交換器非経由側とを連通させて循環経路を構成し、注湯時には、注湯連絡管と熱交換器非経由側とが連通するように三方弁を切り換えるようになっている。これにより、注湯される水が、熱交換器非経由側のみを通じて浴槽に流れ込む（いわゆるシングル搬送になる）ので、落とし込み温度を容易に制御することが可能になっている。
【０００６】
【発明が解決しようとする課題】
ところで、一缶多水路型給湯風呂釜において注湯動作中に給湯側が同時に使用されると、通常、バーナの加熱量は給湯優先で制御されるので、上述のダブル搬送、シングル搬送のいずれの場合であっても、注湯温度を浴槽側設定温度に維持することができなかった。
【０００７】
このため、給湯動作が行われている間、注湯動作を中断することで注湯温度が浴槽側設定温度から外れることを防止するという対策が考えられるが、この場合には、給湯中は注湯動作が中断されるので、湯張り完了までに時間がかかるという問題が発生する。
【０００８】
一方、給湯動作が行われている間も注湯動作を継続する場合には、注湯動作の最終段階等で、浴槽内の湯温を浴槽側設定温度と一致させるために後処理を行う必要があった。すなわち、給湯側設定温度が浴槽側設定温度よりも低かった場合には、浴槽への落とし込み動作終了後に、浴槽側設定温度まで追い焚きを行う必要があり、逆に給湯側設定温度が浴槽側設定温度より高い場合には、これをうめるために低温度の湯を浴槽に落とし込み直す必要があった。したがって、注湯動作中に給湯動作が同時に行われた場合には、このような後処理を行う分だけ、入浴可能となるまでに長い時間がかかってしまう。また、低温度の湯を落とし込み直す場合には、熱交換器の低温腐食を招くという問題もあった。
【０００９】
本発明は、このような従来の技術が有する問題点に着目してなされたもので、注湯中に給湯側が同時使用されても注湯温度を浴槽側設定温度に維持することができ、短時間で湯張り動作を完了することのできる一缶多水路型給湯風呂釜を提供することを目的としている。
【００１０】
【課題を解決するための手段】
かかる目的を達成するための本発明の要旨とするところは、次の各項の発明に存する。
［１］浴槽（２００）に設けた吸入口（２０１）と吐出口（２０２）との間を結ぶ追い焚き用循環流路（４０）と給水を通すための給湯流路（２０）とが所定の加熱装置（１２）で加熱される共通の熱交換器（１３）を経由した一缶多水路型給湯風呂釜であって、前記給湯流路（２０）から前記熱交換器（１３）の出側の所定箇所で分岐し前記追い焚き用循環流路（４０）に前記熱交換器（１３）を経由する部分以外の所定箇所で合流する注湯連絡管（５０）と、前記注湯連絡管（５０）の途中に設けられ前記給湯流路（２０）内の水を前記注湯連絡管（５０）を通じて前記追い焚き用循環流路（４０）側に流すか否かを切り替える注湯切替弁（５１）とを備え、前記給湯流路（２０）で加熱された湯を前記注湯連絡管（５０）および前記追い焚き用循環流路（４０）を通じて前記浴槽（２００）に流し込む注湯動作と給湯動作とを同時に行う際に前記加熱装置（１２）の加熱量が給湯側の温度を基準に制御されるものにおいて、
注湯経路切替手段（４４）と、注湯経路切替制御手段（１１２）と、設定温度比較手段（１１１）とを備え、
前記設定温度比較手段（１１１）は、浴槽側設定温度と給湯側設定温度とを比較するものであり、
前記注湯経路切替手段（４４）は、前記注湯連絡管（５０）を通じて前記追い焚き用循環流路（４０）内に流れ込んだ水の一部または全部が前記熱交換器（１３）を再度経由して前記浴槽（２００）に流れ込む再加熱状態と前記注湯連絡管（５０）を通じて前記追い焚き用循環流路（４０）内に流れ込んだ水の全部が前記熱交換器（１３）を再度経由することなく前記浴槽（２００）に流れ込む非再加熱状態とに注湯時の経路状態を切り換えるものであり、
前記注湯経路切替制御手段（１１２）は、給湯動作と注湯動作とが同時に行われかつ給湯側設定温度が浴槽側設定温度よりも低いときは前記再加熱状態が形成されるように前記注湯経路切替手段（４４）を設定し、給湯動作と注湯動作とが同時に行われかつ給湯側設定温度が浴槽側設定温度と等しいかまたは高いときは前記非再加熱状態が形成されるように前記注湯経路切替手段（４４）を設定するものであることを特徴とする一缶多水路型給湯風呂釜。
【００１１】
［２］浴槽（２００）に設けた吸入口（２０１）と吐出口（２０２）との間を結ぶ追い焚き用循環流路（４０）と給水を通すための給湯流路（２０）とが所定の加熱装置（１２）で加熱される共通の熱交換器（１３）を経由した一缶多水路型給湯風呂釜であって、前記給湯流路（２０）から前記熱交換器（１３）の出側の所定箇所で分岐し前記追い焚き用循環流路（４０）に前記熱交換器（１３）を経由する部分以外の所定箇所で合流する注湯連絡管（５０）と、前記注湯連絡管（５０）の途中に設けられ前記給湯流路（２０）内の水を前記注湯連絡管（５０）を通じて前記追い焚き用循環流路（４０）側に流すか否かを切り替える注湯切替弁（５１）とを備え、前記給湯流路（２０）で加熱された湯を前記注湯連絡管（５０）および前記追い焚き用循環流路（４０）を通じて前記浴槽（２００）に流し込む注湯動作と給湯動作とを同時に行う際に前記加熱装置（１２）の加熱量が給湯側の温度を基準に制御されるものにおいて、
注湯経路切替手段（４４）と、注湯経路切替制御手段（１１２）と、設定温度比較手段（１１１）と、給水混合流路（６０）と、混合量調整弁（６１）と、混合量制御手段（１１４）とを備え、
前記設定温度比較手段（１１１）は、浴槽側設定温度と給湯側設定温度とを比較するものであり、
前記注湯経路切替手段（４４）は、前記注湯連絡管（５０）を通じて前記追い焚き用循環流路（４０）内に流れ込んだ水の一部または全部が前記熱交換器（１３）を再度経由して前記浴槽（２００）に流れ込む再加熱状態と前記注湯連絡管（５０）を通じて前記追い焚き用循環流路（４０）内に流れ込んだ水の全部が前記熱交換器（１３）を再度経由することなく前記浴槽（２００）に流れ込む非再加熱状態とに注湯時の経路状態を切り換えるものであり、
前記注湯経路切替制御手段（１１２）は、給湯動作と注湯動作とが同時に行われかつ給湯側設定温度が浴槽側設定温度よりも低いときは前記再加熱状態が形成されるように前記注湯経路切替手段（４４）を設定し、給湯動作と注湯動作とが同時に行われかつ給湯側設定温度が浴槽側設定温度と等しいかまたは高いときは前記非再加熱状態が形成されるように前記注湯経路切替手段（４４）を設定するものであり、
前記給水混合流路（６０）は、前記給湯流路（２０）から前記熱交換器（１３）の入側の所定箇所で分岐しかつ前記追い焚き用循環流路（４０）に所定箇所で合流したものであり、
前記混合量調整弁（６１）は、前記給水混合流路（６０）を通じて前記追い焚き用循環流路（４０）に流し込む給水の流量を調整するものであり、
前記混合量制御手段（１１４）は、給湯動作と注湯動作とが同時に行われているときであって前記混合量調整弁（６１）を閉じた状態では前記浴槽（２００）への注湯温度が前記浴槽側設定温度より高くなるとき、前記混合量調整弁（６１）を開いて前記給水混合流路（６０）から前記追い焚き用循環流路（４０）に給水を流し込むものであることを特徴とする一缶多水路型給湯風呂釜。
【００１２】
［３］浴槽（２００）に設けた吸入口（２０１）と吐出口（２０２）との間を結ぶ追い焚き用循環流路（４０）と給水を通すための給湯流路（２０）とが所定の加熱装置（１２）で加熱される共通の熱交換器（１３）を経由した一缶多水路型給湯風呂釜であって、前記給湯流路（２０）から前記熱交換器（１３）の出側の所定箇所で分岐し前記追い焚き用循環流路（４０）に前記熱交換器（１３）を経由する部分以外の所定箇所で合流する注湯連絡管（５０）と、前記注湯連絡管（５０）の途中に設けられ前記給湯流路（２０）内の水を前記注湯連絡管（５０）を通じて前記追い焚き用循環流路（４０）側に流すか否かを切り替える注湯切替弁（５１）とを備え、前記給湯流路（２０）で加熱された湯を前記注湯連絡管（５０）および前記追い焚き用循環流路（４０）を通じて前記浴槽（２００）に流し込む注湯動作と給湯動作とを同時に行う際に前記加熱装置（１２）の加熱量が給湯側の温度を基準に制御されるものにおいて、
注湯経路切替手段（４４）と、注湯経路切替制御手段（１１２）と、給水混合流路（６０）と、混合量調整弁（６１）と、混合量制御手段（１１４）とを備え、
前記注湯経路切替手段（４４）は、前記注湯連絡管（５０）を通じて前記追い焚き用循環流路（４０）内に流れ込んだ水の一部または全部が前記熱交換器（１３）を再度経由して前記浴槽（２００）に流れ込む再加熱状態と前記注湯連絡管（５０）を通じて前記追い焚き用循環流路（４０）内に流れ込んだ水の全部が前記熱交換器（１３）を再度経由することなく前記浴槽（２００）に流れ込む非再加熱状態とに注湯時の経路状態を切り換えるものであり、
前記給水混合流路（６０）は、前記給湯流路（２０）から前記熱交換器（１３）の入側の所定箇所で分岐しかつ前記追い焚き用循環流路（４０）に所定箇所で合流したものであり、
前記混合量調整弁（６１）は、前記給水混合流路（６０）を通じて前記追い焚き用循環流路（４０）に流し込む給水の流量を調整するものであり、
前記混合量制御手段（１１４）は、給湯動作と注湯動作とが同時に行われているとき、前記浴槽（２００）への注湯温度が浴槽側設定温度になるように前記混合量調整弁（６１）の開度を制御するものであり、
前記注湯経路切替制御手段（１１２）は、常時は前記再加熱状態が形成されるように前記注湯経路切替手段（４４）を設定するとともに、給湯動作と注湯動作とが同時に行われているときであって前記混合量調整弁（６１）を全開にしても前記浴槽（２００）への注湯温度が前記浴槽側設定温度より高くなったとき、前記非再加熱状態が形成されるように前記注湯経路切替手段（４４）を設定するものであることを特徴とする一缶多水路型給湯風呂釜。
【００１３】
［４］前記注湯経路切替手段（４４）は、流路を開通させるか閉鎖するかを切り換える切替弁（４４）であって、前記注湯連絡管（５０）が前記追い焚き用循環流路（４０）に合流する箇所を境に前記追い焚き用循環流路（４０）を熱交換器経由側と熱交換器非経由側とに分けたうち、前記熱交換器経由側の配管部分に取り付けたものであることを特徴とする［１］、［２］または［３］記載の一缶多水路型給湯風呂釜。
【００１５】
［５］前記注湯連絡管（５０）を通じて前記追い焚き用循環流路（４０）内に流れ込んだ水のうち少なくとも前記熱交換器（１３）を再度経由して前記浴槽（２００）に流れ込む側の水量を調整する水量調整手段（５２）を具備することを特徴とする［１］、［２］、［３］または［４］記載の一缶多水路型給湯風呂釜。
【００１６】
前記本発明は次のように作用する。
注湯経路切替手段（４４）は、注湯連絡管（５０）を通じて追い焚き用循環流路（４０）内に流れ込んだ水の一部または全部が熱交換器（１３）を再度経由して浴槽（２００）に流れ込む再加熱状態と、注湯連絡管（５０）を通じて追い焚き用循環流路（４０）内に流れ込んだ水の全部が熱交換器（１３）を再度経由することなく浴槽（２００）に流れ込む非再加熱状態とに注湯時の経路状態を切り換える。
【００１７】
たとえば、注湯経路切替手段（４４）は、流路を開通させるか閉鎖するかを切り換える切替弁（４４）であって、注湯連絡管（５０）が追い焚き用循環流路（４０）に合流する箇所を境に追い焚き用循環流路（４０）を熱交換器経由側と熱交換器非経由側とに分けたうち熱交換器経由側の配管部分に取り付けたもので構成する。そして、この切替弁（４４）を開くことによって再加熱状態を形成し、切替弁（４４）を閉じることによって非再加熱状態を形成する。
【００１８】
なお注湯経路切替手段（４４）を、熱交換器（１３）を迂回するためのバイパス路と、注湯連絡管（５０）から追い焚き用循環流路（４０）に流入した水を熱交換器（１３）側に流すか先のバイパス路側に流して熱交換器（１３）を迂回させるかを切り換える切替弁（４４）とから構成してもよい。
【００１９】
設定温度比較手段（１１１）は、浴槽側設定温度と給湯側設定温度とを比較し、注湯経路切替制御手段（１１２）は、給湯動作と注湯動作とが同時に行われかつ給湯側設定温度が浴槽側設定温度よりも低いとき、再加熱状態が形成されるように注湯経路切替手段（４４）を設定する。また給湯動作と注湯動作とが同時に行われかつ給湯側設定温度が浴槽側設定温度と等しいかまたは高いとき、非再加熱状態が形成されるように注湯経路切替手段（４４）を設定する。
【００２０】
これにより給湯と注湯との同時使用時に給湯側設定温度が浴槽側設定温度よりも低いときは、注湯連絡管（５０）から追い焚き用循環流路（４０）に流れ込んだ水の一部または全部が熱交換器（１３）で再加熱されて浴槽（２００）に至り、給湯側設定温度が浴槽側設定温度よりも低くないときは、熱交換器（１３）で再加熱されることなく浴槽（２００）に流れ込むことになる。
【００２１】
このように、給湯と注湯とが同時使用されかつ給湯側設定温度が浴槽側設定温度より低いときだけ注湯連絡管（５０）から流れ込んだ水を熱交換器（１３）で再加熱し、給湯側設定温度が浴槽側設定温度より低くないときには注湯連絡管（５０）から流れ込んだ水が熱交換器（１３）で再加熱されないように注湯経路を切り換えるので、どのような設定温度で給湯側が同時に使用されても、浴槽側設定温度に近い温度あるいは一致した温度で、注湯動作を継続することができ、湯張り完了までに要する時間を短縮することができる。
【００２２】
また熱交換器（１３）を再度経由する水の流量を制御する水量調整手段（５２）を具備するものでは、たとえば、給湯側設定温度と浴槽側設定温度の違いに応じて再加熱する水の流量を適切な値に調整することができる。
【００２３】
給水混合流路（６０）と、この給水混合流路（６０）内の流量を調整するための混合量調整弁（６１）と、混合量調整弁（６１）の開度を制御する混合量制御手段（１１４）とをさらに備えたものでは、給湯と注湯との同時使用時であって混合量調整弁（６１）を閉じたままでは浴槽（２００）への注湯温度が浴槽側設定温度より高くなるとき、混合量調整弁（６１）を開いて給水混合流路（６０）から追い焚き用循環流路（４０）に給水を流し込むようになっている。
【００２４】
このように、給湯側設定温度が浴槽側設定温度より高いときなど浴槽（２００）への注湯温度が浴槽側設定温度より高くなるときに、給水混合流路（６０）から加熱前の給水を混合するので、高温で給湯側が同時に使用されても、適切な温度で浴槽（２００）に湯張りすることができる。なお、給湯設定温度が浴槽側設定温度よりも低いときは、再加熱状態が形成されて熱交換器（１３）での再加熱が行われるが、この再加熱の結果、注湯温度が浴槽側設定温度を越えてしまうような場合にも給水混合流路（６０）から給水を混合することで、適切な温度での注湯が可能になる。もちろん再加熱される側の流量を水量調整手段（５２）によって調整してもよいし、給水の混合量と再加熱する流量の双方を調整することで注湯温度を浴槽側設定温度に合わせるように制御してもよい。
【００２５】
また、給湯動作と注湯動作とが同時に行われているとき、できるだけ、再加熱状態を形成しておき、混合量調整弁（６１）の開度（給水の混合量）によって浴槽（２００）への注湯温度が浴槽側設定温度と一致するように制御する。そして、混合量調整弁（６１）を全開にしても浴槽（２００）への注湯温度が浴槽側設定温度より高くなるときだけ、非再加熱状態が形成されるように注湯経路切替手段（４４）を設定する。
【００２６】
このように、給水の混合量で調整可能なうちは熱交換器（１３）での再加熱を行うので、単位時間当たりの注湯流量が増加し、湯張り時間をより一層短縮することができる。なお、混合量調整弁（６１）を全開にしても注湯温度が浴槽側設定温度を越えるときに一気に非再加熱状態に移行させず、混合量調整弁（６１）の開度ができるだけ大きくなるように再加熱側への流量を水量制御手段（５２）で徐々に制限するようにしてもよい。
【００２７】
このほか、注湯連絡管（５０）を通じて追い焚き用循環流路（４０）内に流れ込んだ水の一部が熱交換器（１３）を再度経由して浴槽（２００）に流れ込む状態を常に形成しておき、給水の混合量を増減させることだけで注湯温度を浴槽側設定温度に近づけるようにしてもよい。
【００２８】
【発明の実施の形態】
以下、図面に基づき本発明の各種実施の形態を説明する。
図１は、本発明の第１の実施の形態にかかる一缶多水路型給湯風呂釜１０の構成を示している。一缶多水路型給湯風呂釜１０は、所定の水栓へ給湯する給湯動作と、浴槽２００内の湯を追い焚きする追い焚き動作と、給湯側で加熱した湯を浴槽２００に注ぎ込む注湯動作の各動作を行う機能を備えている。
【００２９】
図１に示すように、一缶多水路型給湯風呂釜１０は、燃焼室１１を備えており、当該燃焼室１１の下部には、バーナ１２が、燃焼室１１の上部には、バーナ１２からの熱を給水等に伝えるための熱交換器１３がそれぞれ配置されている。熱交換器１３には、給水を流すための給湯流路２０と、追い焚き用に浴槽２００内の水を循環させるための追い焚き用循環流路４０の双方が通っており、熱交換器１３はバーナ１２からの熱をこれら双方の流路内の流体に伝えて加熱する、いわゆる一缶二水路型になっている。
【００３０】
給湯流路２０は、熱交換器１３のフィンプレートから受熱する配管部分である給湯系受熱管２１と、一端が給湯系受熱管２１の入側に接続され、他端側が給水の供給元に通じる給水管２２と、給湯系受熱管２１の出側から延びる給湯管２３とから構成されている。給水管２２の途中には、通水量を検知するための水量センサ２４が、また給水管２２のうち器具１０の入口部近傍には、流れ込む給水の温度を検出するための入水サーミスタ２５が設けてある。
【００３１】
給湯管２３のうち給湯系受熱管２１の出側近傍には、給湯系受熱管２１で加熱された後の水温を検知する熱交サーミスタ２６が配置されている。また給湯管２３のうち熱交サーミスタ２６よりも下流側の所定箇所には、給湯流路２０を通じて出湯される湯量を調整するための第１水量制御弁２７があり、その下流には、給湯確認および給湯側の出湯流量を検知するための出湯側水量センサ２８が取り付けられている。
【００３２】
給水管２２のうち熱交換器１３への入側近傍箇所と給湯管２３のうち熱交サーミスタ２６と第１水量制御弁２７の間の所定箇所との間には、熱交換器１３を迂回させて給水管２２からの給水を給湯管２３に直接流し込むための固定バイパス路３０が設けてある。また、給水管２２のうち水量センサ２４よりも給水入側（上流側）の所定箇所と給湯管２３のうち第１水量制御弁２７と出湯側水量センサ２８の間の所定箇所との間には、熱交換器１３を迂回させて給水管２２からの給水を給湯管２３に流し込むための可変バイパス路３１が設けてある。この可変バイパス路３１の途中には、給湯管２３に流し込む水量を調整するための第２水量制御弁３２が取り付けてある。また可変バイパス路３１が合流する箇所よりも出湯側水量センサ２８寄りの箇所には、出湯温度を検知するための出湯サーミスタ２９が配置されている。
【００３３】
追い焚き用循環流路４０は、熱交換器１３のフィンプレートから受熱する配管部分である追い焚き受熱管４１と、追い焚き受熱管４１の熱交換器入側と浴槽２００に設けた吸入口２０１との間を接続する追い焚き戻り管４２と、追い焚き受熱管４１の熱交換器出側と浴槽２００に設けた吐出口２０２との間を接続する追い焚き往き管４３とから構成されている。
【００３４】
追い焚き往き管４３の途中には、流路を閉鎖するか開通させるかを切り換えるための電磁弁４４が設けて有る。また、出湯サーミスタ２９と出湯側水量センサ２８との間にある分岐箇所から分岐した注湯連絡管５０が、電磁弁４４よりもやや吐出口２０２寄りの合流箇所４５で追い焚き往き管４３に合流している。この合流箇所４５を境に追い焚き用循環流路４０は、吐出口２０２側に延びる熱交換器非経由側と、熱交換器１３を再度経由して吸入口２０１に通じる熱交換器経由側の２つに区分けされることになる。
【００３５】
注湯連絡管５０の途中には、当該注湯連絡管５０を閉鎖するか開通させるかを切り替えるための注湯電磁弁５１と、注湯連絡管５０内の流量を調整するための閉止機能つき注湯水量制御弁５２が設けてある。注湯電磁弁５１を開くことで、給湯系受熱管２１で加熱された湯が注湯連絡管５０を通じて合流箇所４５から追い焚き用循環流路４０内へ流れ込み、当該追い焚き用循環流路４０を通じて浴槽２００へ注湯できるようになっている。なお注湯電磁弁５１は閉止機能のないものであってもよい。
【００３６】
給水管２２のうち可変バイパス路３１の分岐箇所と水量センサ２４との間の所定箇所からは、給水混合流路６０が分岐しており、当該給水混合流路６０は、合流箇所４５よりも吐出口２０２寄りの給水合流箇所４６で追い焚き往き管４３に合流している。給水混合流路６０の途中には、管内の通水量を調整するための閉止機能つき混合水量制御弁６１が設けて有る。また混合水量制御弁６１よりも給水合流箇所４６寄りに、給水合流箇所４６側から給水混合流路６０側に向けての逆流を防止するための逆止弁６２が取り付けて有る。
【００３７】
追い焚き往き管４３のうち給水合流箇所４６よりもさらに吐出口２０２寄りには、配管内の湯温を検出するための落とし込みサーミスタ４７と、吐出口２０２から注湯される湯量を検出するための注湯水量センサ４８が設けて有る。追い焚き往き管４３のうち注湯水量センサ４８よりもさらに吐出口２０２寄りの所定箇所には、浴槽２００内の水位を検出するための圧力センサ４９が配置してある。
【００３８】
追い焚き戻り管４２の途中には、追い焚き用循環流路４０を通じて浴槽２００内の湯を強制循環するための循環ポンプ７１と、追い焚き戻り管４２内での通水の有無を検出するための風呂流水スイッチ７２とが設けて有る。また風呂流水スイッチ７２の近傍には、管内の温度、すなわち、循環ポンプ７１を駆動することによって吸入口２０１から流れ込む浴槽内の水の温度を検出するための風呂サーミスタ７３が取り付けてある。
【００３９】
給排気は、燃焼ファン１４によって燃焼室１１の下方側から給気を送風することによって強制的に行われ、排気は燃焼室１１の上部から排出されるようになっている。バーナ１２の近傍には、図示しない点火装置が設けてある。またバーナ１２へ供給される燃焼ガスは、ガス電磁弁１６、元ガス電磁弁１７、ガス切替弁１８によってオンオフ制御される。さらにバーナ１２へ供給される燃焼ガスのガス量は、ガス比例弁１９によって調整される。
【００４０】
一缶多水路型給湯風呂釜１０は、給湯動作、注湯動作、追い焚き動作など各種の動作を制御するための制御部１００を備えている。制御部１００には、電磁弁４４、注湯電磁弁５１、注湯水量制御弁５２、混合水量制御弁６１、通水量を検出するための水量センサ２４、出湯側水量センサ２８、注湯水量センサ４８、各種のサーミスタ２５、２６、４７、７３、循環ポンプ７１、圧力センサ４９、バーナ１２の燃焼を制御するための点火装置やガス電磁弁や比例弁など各種の制御部品やセンサ類が簡略図示した配線１０１によって電気的に接続されている。また制御部１００には、給湯側設定温度や浴槽側設定温度等の設定や、風呂の追い焚き動作や注湯動作の開始指示等を受け付けるための図示しないリモコンが接続されている。このリモコンは浴室等に設置されるものである。
【００４１】
制御部１００は、上述のリモコンによって設定された給湯側設定温度と浴槽側設定温度とを比較する設定温度比較手段１１１と、電磁弁４４の開閉を制御する注湯経路切替制御手段１１２と、注湯水量制御弁５２の開度を制御する注湯流量制御手段１１３と、混合水量制御弁６１の開度を制御する混合流量制御手段１１４の各機能を備えている。なお制御部１００はＣＰＵ（中央処理装置）と、ＲＯＭ（リード・オンリ・メモリ）とＲＡＭ（ランダム・アクセス・メモリ）とを主要部とする回路で構成されている。
【００４２】
次に作用を説明する。
注湯動作を行う際には、注湯電磁弁５１が開かれ、加熱された水が、給湯流路２０側から注湯連絡管５０を通じて追い焚き用循環流路４０側に流れ込む。このとき電磁弁４４を開状態に設定しておくと、注湯連絡管５０を通じて合流箇所４５に流れ込んだ水は吐出口２０２側に向けて流れるものと、熱交換器１３を再度経由して吸入口２０１側に流れるものの二手に分かれて浴槽２００に落とし込まれる。すなわち、電磁弁４４を開くことで、注湯経路は熱交換器経由側にも水の流れる再加熱状態になり、いわゆるダブル搬送が行われる。
【００４３】
一方、電磁弁４４を閉止しておくと、注湯連絡管５０を通じて合流箇所４５に流れ込んだ水は、吐出口２０２側に向かってのみ流れ、熱交換器１３を経由して吸入口２０１側に向かって流れることはない。すなわち、電磁弁４４を閉じることで、注湯経路は熱交換器非経由側にだけ水の流れる非再加熱状態となり、いわゆるシングル搬送が行われる。
【００４４】
図２は、一缶多水路型給湯風呂釜１０の行う動作の流れを示している。初期状態では、電磁弁４４は開いているものとする。給湯動作が単独で行われている間は（ステップＳ３０１；Ｙ、Ｓ３０３；Ｎ、Ｓ３０４；Ｎ）、給湯側設定温度に応じた温度の湯が出湯されるように、バーナ１２の燃焼量等を調整する給湯制御（ステップＳ３０２）が行われる。
【００４５】
一方、注湯動作が単独で行われている間は（ステップＳ３０１；Ｎ、Ｓ３０５；Ｙ、Ｓ３０７；Ｎ、Ｓ３０８；Ｎ）、浴槽側設定温度に応じた温度の湯が浴槽２００へ注湯されるようにバーナ１２の燃焼量等を調整する落とし込み制御（ステップＳ３０６）が実行される。注湯動作を終了する場合は（ステップＳ３０８；Ｙ）、電磁弁４４（Ｖ）を開き（ステップＳ３０９；Ｎ、Ｓ３１０）、注湯電磁弁５１（Ｓ）、注湯水量制御弁５２（ＭＨ）、混合水量制御弁６１（ＭＬ）をそれぞれ閉じる処理を行う（ステップＳ３１１）。
【００４６】
給湯中に注湯動作が開始された場合（ステップＳ３０３；Ｙ）および注湯中に給湯動作が開始されたときは（ステップＳ３０７；Ｙ）、以下の処理に移行する。なお、給湯と注湯の同時使用中は、給湯側の温度を基準に、すなわち給湯優先でバーナ１２の燃焼量が制御される。
【００４７】
注湯動作の有無は、内部のフラグ等によって識別され、給湯動作の有無は、出湯側水量センサ２８および水量センサ２４が通水を検出しているか否かで判別される。すなわち、水量センサ２４と出湯側水量センサ２８の双方が通水を検知しているときは、給湯単独あるいは注湯と給湯との同時使用のいずれかであり、先の内部フラグの状態と合わせることで給湯単独使用か給湯注湯同時使用かが判別される。
【００４８】
一方、注湯単独使用の場合には、水量センサ２４は通水を検出するが、出湯側水量センサ２８は通水を検出しないので、この条件により同時使用か否かを判別することができる。したがって、たとえば注湯単独動作中に給湯動作が始まったことは出湯側水量センサ２８が通水を検知し始めたことによって認識される。
【００４９】
給湯動作と注湯動作の同時使用が始まると、まず、設定温度比較手段１１１によって給湯側設定温度（ＴＫ）と浴槽側設定温度（ＴＢ）とが比較される。ここで給湯側設定温度（ＴＫ）が浴槽側設定温度（ＴＢ）よりも低いときは（ステップＳ３１２；Ｎ）、同時フラグのオンオフを判別し（ステップＳ３１６）、同時フラグがオフの場合には（ステップＳ３１６；Ｙ）、再加熱初期制御処理（ステップＳ３１７）を実行する。
【００５０】
給湯側設定温度（ＴＫ）と浴槽側設定温度（ＴＢ）とが等しいときは（ステップＳ３１２；Ｙ、Ｓ３１３；Ｙ）、同時フラグのオンオフを判別し（ステップＳ３１４）、同時フラグがオフの場合には（ステップＳ３１４；Ｙ）、後述する等温度初期制御処理（ステップＳ３１５）を実行する。
【００５１】
給湯側設定温度（ＴＫ）が浴槽側設定温度（ＴＢ）よりも高いときは（ステップＳ３１２；Ｙ、Ｓ３１３；Ｎ）、同時フラグのオンオフを判別し（ステップＳ３１８）、同時フラグがオフの場合には（ステップＳ３１８；Ｙ）、後述する非再加熱初期制御処理（ステップＳ３１９）を実行する。なお、同時フラグは、給湯側設定温度（ＴＫ）と浴槽側設定温度（ＴＢ）との比較結果に応じた初期制御処理を既に実行したか否かを示すための内部フラグである。
【００５２】
給湯と注湯の同時使用が継続している間は（ステップＳ３２０；Ｎ、Ｓ３２１；Ｎ）、同時フラグをオンにする（ステップＳ３２２）。続いて給湯側設定温度（ＴＫ）または浴槽側設定温度（ＴＢ）が変更されたか否かを判別する（ステップＳ３２３）。少なくとも一方の設定温度が変更されたときは（ステップＳ３２３；Ｎ）、同時フラグをオフにしてから（ステップＳ３２４）、給湯側設定温度（ＴＫ）と浴槽側設定温度（ＴＢ）とを比較する処理（ステップＳ３１２）へ戻る。一方、給湯側設定温度（ＴＫ）と浴槽側設定温度（ＴＢ）のいずれもが変更されていないときは、同時フラグをオンした状態のままでステップＳ３１２に戻る。
【００５３】
上述の処理により、給湯と注湯の同時使用が開始されたときと、同時使用中に給湯側設定温度（ＴＫ）または浴槽側設定温度（ＴＢ）が変更されたときだけ、再加熱初期制御処理と、等温度初期制御処理と、非再加熱初期制御処理のうちのいずれかの初期制御処理が実行されることになる。これらの初期制御処理は、給湯と注湯とが同時使用されることによってバーナ１２の燃焼制御が給湯優先で行われる状態になっても、浴槽２００への落とし込み温度が浴槽側設定温度（ＴＢ）と一致あるいはこれに近づくように、給湯側設定温度（ＴＫ）と浴槽側設定温度（ＴＢ）との比較結果に応じて電磁弁４４の開閉状態や注湯電磁弁５１、注湯水量制御弁５２の開度等を制御するものである。
【００５４】
注湯と給湯の同時使用が行われている間に、注湯動作が先に終了した場合は（ステップＳ３２０；Ｙ）、同時フラグをオフにし（ステップＳ３２６）、電磁弁４４（Ｖ）を開き（ステップＳ３２７；Ｎ、Ｓ３２８）、注湯電磁弁５１（Ｓ）、注湯水量制御弁５２（ＭＨ）、混合水量制御弁６１（ＭＬ）をそれぞれ閉じる処理を行う（ステップＳ３２９）。その後、給湯動作がまだ継続しているので、ステップＳ３０３に戻って給湯制御（ステップＳ３０２）が実行される。
【００５５】
一方、給湯動作が先に終了した場合は（ステップＳ３２１；Ｙ）、同時フラグをオフにした後（ステップＳ３２５）、まだ注湯動作が継続しているので、ステップＳ３０７に戻る。
【００５６】
次に、等温度初期制御処理について説明する。図３は、等温度初期制御処理の流れを示している。この処理では、まず、電磁弁４４を閉じる（ステップＳ４０１）。等温度初期制御処理が実行されるときは、給湯側設定温度（ＴＫ）と浴槽側設定温度（ＴＢ）とが等しい場合なので、給湯流路２０側で加熱された後の湯を、熱交換器１３を再度経由させることなく、そのまま浴槽２００に落とし込めば、浴槽側設定温度（ＴＢ）が満足される。そこで、電磁弁４４を閉じて熱交換器１３で再加熱される側の注湯経路に注湯連絡管５０からの水が流れないように注湯経路を設定する。
【００５７】
また注湯電磁弁５１および注湯水量制御弁５２が開いているか否かを調べ（ステップＳ４０２）、閉じている場合（ステップＳ４０２；Ｎ）には、これらを開く（ステップＳ４０３）。また同時使用が開始されることによって、給湯側の出湯流量が不足したような場合には、注湯水量制御弁５２の開度が調整される（ステップＳ４０４；Ｙ、Ｓ４０５）。なお、注湯電磁弁５１および注湯水量制御弁５２が閉じているのは、同時使用が開始されてから初めていずれかの初期制御処理を実行する場合であって、同時使用が開始される前の状態が給湯単独使用であったときである。
【００５８】
このほか、図３では示していないが、同時使用中に給湯側設定温度（ＴＫ）や浴槽側設定温度（ＴＢ）が変更された場合には混合水量制御弁６１が開いている場合が有り得るので、この場合には、混合水量制御弁６１を閉じるようになっている。
【００５９】
図４は、非再加熱初期制御処理の流れを示している。非再加熱初期処理が実行されるのは、給湯側設定温度（ＴＫ）が浴槽側設定温度（ＴＢ）よりも高い場合であるので、非再加熱初期制御処理では、熱交換器１３で再加熱が行われないように注湯経路を設定するとともに、加熱前の給水を注湯される湯に混合するようになっている。
【００６０】
具体的には、まず電磁弁４４を閉じ（ステップＳ５０１）、注湯連絡管５０からの水が熱交換器１３を再経由しない状態に注湯経路を設定する。次に、注湯電磁弁５１（Ｓ）、注湯水量制御弁５２（ＭＨ）および混合水量制御弁６１（ＭＬ）が開いているか否かを調べ（ステップＳ５０２）、いずれか１つでも開いていない場合には（ステップＳ５０２；Ｎ）、それを開く（ステップＳ５０３）。
【００６１】
この状態では、浴槽２００への注湯は吐出口２０２を通じてのみ行われ、その際の注湯温度は、落とし込みサーミスタ４７によって検出される。そこで、落とし込みサーミスタ４７の検出する温度（ＴＤ）が浴槽側設定温度（ＴＢ）と等しくなければ（ステップＳ５０４；Ｎ）、これらが等しくなるように注湯水量制御弁５２および混合水量制御弁６１の開度を調整する（ステップＳ５０５）。なお、注湯水量制御弁５２および混合水量制御弁６１の開度をどのように調整しても、落とし込みサーミスタ４７の検出する温度（ＴＤ）と浴槽側設定温度（ＴＢ）とが等しくならない場合には（ステップＳ５０６；Ｎ）、落とし込み動作を一時的に中断する（ステップＳ５０７）。
【００６２】
図５は、再加熱初期制御処理の流れを示している。再加熱初期制御処理は、浴槽側設定温度（ＴＢ）が給湯側設定温度（ＴＫ）より高い場合に行われ、注湯連絡管５０を通じて流れ込む水の一部を追い焚き受熱管４１を通じてさらに加熱してから浴槽２００へ落とし込むように注湯経路を設定するものである。
【００６３】
まず、電磁弁４４が開いているか否かを調べ、もともと開いている場合はそのまま、閉じている場合には電磁弁４４を開いて、注湯連絡管５０から流れ込む水の一部が熱交換器１３を再度経由して吸入口２０１からも浴槽２００内に落とし込まれるように注湯経路を設定する（ステップＳ６０１）。次に、注湯電磁弁５１、注湯水量制御弁５２が開いていなければ（ステップＳ６０２；Ｎ）、これらを開く（ステップＳ６０３）。すなわち、同時使用が開始されてから初めて初期制御処理を実行する場合であって、同時使用が開始される前の状態が給湯単独使用であったときには、まだ注湯電磁弁５１、注湯水量制御弁５２が閉じた状態にあるので、これらを開く。
【００６４】
なお、同時使用中に給湯側設定温度（ＴＫ）や浴槽側設定温度（ＴＢ）が変更された為に、再加熱初期制御処理が行われる場合には、混合水量制御弁６１が開いている可能性があるので、流れ図では示していないが、この場合には混合水量制御弁６１を一旦閉じるようになっている。
【００６５】
次に、浴槽２００に落とし込まれる湯温（ＴＷ）を演算で求める。吐出口２０２から浴槽２００に落とし込まれる湯量は注湯水量センサ４８により、またその温度は落とし込みサーミスタ４７によって検出される。一方、吸入口２０１から浴槽２００に落とし込まれる湯温は、風呂サーミスタ７３によって検出される。
【００６６】
給水温度（Ｔｉｎ）は入水サーミスタ２５によって検知され、給湯温度（出湯温度…Ｔｏｕｔ）は出湯サーミスタ２９で検出されるので、これらの温度と落とし込みサーミスタ４７の検出温度（ＴＤ）とから、注湯水量センサ４８の検出する流量（Ｑ１）のうち給水混合流路６０から供給された給水の量（Ｑ１Ｌ）と注湯連絡管５０から供給された湯の量（Ｑ１Ｈ）とがそれぞれ判明する。一方、注湯連絡管５０から供給される湯量（ＱＨ）は、水量センサ２４の検出流量（Ｑｉｎ）から出湯側水量センサ２８の検出流量（Ｑｏｕｔ）を差し引いた値として求まる。したがって、（Ｑｉｎ−Ｑｏｕｔ−Ｑ１Ｈ）を求めることで、合流箇所４５に流れ込んだ湯のうち電磁弁４４側に流れる湯量（Ｑ２Ｈ）が判明する。
【００６７】
また、入水サーミスタ２５の検出する給水温度（Ｔｉｎ）と出湯サーミスタ２９の検出する給湯温度（Ｔｏｕｔ）と風呂サーミスタ７３の検出する温度（Ｔｆ）とから吸入口２０１から落とし込まれる湯に含まれる給水と給湯との配分が分かる。この配分比と、先に求めた、合流箇所４５で分岐して電磁弁４４側に流れる湯の量（Ｑ２Ｈ）とから、吸入口２０１を通じて浴槽２００に落とし込まれる湯量（Ｑ２）を求めることができる。
【００６８】
このように、吸入口２０１、吐出口２０２それぞれから浴槽２００に落とし込まれる湯の量とそれらの温度とが求まるので、これらを用いて浴槽２００内で合流した際の湯温（ＴＷ）が演算で求まる。
【００６９】
このようにして求めた浴槽落とし込み温度（ＴＷ）が、浴槽側設定温度（ＴＢ）と等しくない場合には、これらが等しくなるように注湯水量制御弁５２および混合水量制御弁６１の開度を調整し（ステップＳ６０６）、再度、浴槽落とし込み温度（ＴＷ）を演算で求める（ステップＳ６０７）。注湯水量制御弁５２および混合水量制御弁６１の開度をどのように調整しても浴槽落とし込み温度（ＴＷ）と浴槽側設定温度（ＴＢ）とが等しくならない場合は（ステップＳ６０８；Ｎ）、注湯電磁弁５１、注湯水量制御弁５２、混合水量制御弁６１を閉じて（ステップＳ６０９）、注湯動作を中断する（ステップＳ６１０）。浴槽落とし込み温度（ＴＷ）が浴槽側設定温度（ＴＢ）と等しくなったときは、その状態で給湯と注湯の同時使用を継続する（ステップＳ６０５；Ｙ、ステップＳ６０８；Ｙ）。
【００７０】
このように、給湯側設定温度（ＴＫ）がいかなる温度であっても、浴槽２００への浴槽側設定温度（ＴＢ）での落とし込み動作を給湯動作と同時並行して実行することができるので、湯張り完了までに要する時間が短縮される。また、給湯側設定温度（ＴＫ）が浴槽側設定温度（ＴＢ）よりも低い場合には、いわゆるダブル搬送になるので、単位時間当たりの落とし込み流量を多く確保することができる。
【００７１】
さらに、給湯温度が落とし込み温度より高い場合であっても、その高い温度の湯がそのまま浴槽２００に注湯されないので、注湯動作中に入浴者があっても、その者が火傷を負ったり、高温の湯が出て不快感を覚えるようなことがない。
【００７２】
次に、本発明の第２の実施の形態について説明する。
【００７３】
第２の実施の形態では、装置構成自体は、第１の実施の形態に示したものと同様であるが、電磁弁４４、注湯電磁弁５１、注湯水量制御弁５２、混合水量制御弁６１の制御内容が異なっている。第２の実施の形態では、給湯と注湯とを同時使用するとき、電磁弁４４をできるだけ開いた状態に維持し、混合水量制御弁６１の開度、すなわち、給水の混合量によって浴槽落とし込み温度（ＴＷ）が浴槽側設定温度（ＴＢ）になるように制御する。そして、混合水量制御弁６１を全開にしても、浴槽落とし込み温度（ＴＷ）が浴槽側設定温度（ＴＢ）より高くなる場合に、初めて電磁弁４４を閉じるようになっている。
【００７４】
すなわち、給湯側設定温度（ＴＫ）が浴槽側設定温度（ＴＢ）より高い場合あるいはこれらが等しい場合であっても、電磁弁４４をとりあえず開状態に設定し、混合水量制御弁６１の開度（給水の混合量）によって、浴槽落とし込み温度（ＴＷ）が浴槽側設定温度（ＴＢ）になるよう調整を試みる。これにより浴槽落とし込み温度（ＴＷ）と浴槽側設定温度（ＴＢ）とが等しくなる場合には、電磁弁４４を開いた状態のままで同時使用を継続する。
【００７５】
一方、混合水量制御弁６１を全開にしても浴槽落とし込み温度（ＴＷ）が浴槽側設定温度（ＴＢ）より高い場合には、電磁弁４４を閉じ、この状態で浴槽落とし込み温度（ＴＷ）と浴槽側設定温度（ＴＢ）とが一致するように混合水量制御弁６１の開度を再調整する。これにより、単位時間当たりの落とし込み流量が多くなり、湯張り完了までに要する時間をより一層短縮することができる。
【００７６】
なお、電磁弁４４を一気に閉じる代わりに、注湯水量制御弁５２によって注湯連絡管５０からの湯量を徐々に絞るようにしてもよい。また、電磁弁４４は必ずしも設ける必要はない。たとえば、混合水量制御弁６１を全開にしても浴槽落とし込み温度（ＴＷ）が浴槽側設定温度（ＴＢ）より高くなる場合には、注湯動作を一時的に中断するようにしてもよい。また注湯水量制御弁５２によって給湯側からの湯量を絞ることができれば、電磁弁４４を敢えて設ける必要はない。
【００７７】
以上説明した各実施の形態では、注湯連絡管５０から追い焚き用循環流路４０に流れ込む湯のうちの一部が電磁弁４４側に流れるように構成したが、たとえば、合流箇所４５と給水合流箇所４６の間に、配管を閉状態と開状態とに切り換えるための電磁弁を設け、これを閉状態にして電磁弁４４を開くことで、注湯連絡管５０からの湯を全て電磁弁４４側に流すようにしてもよい。これにより、給湯側設定温度（ＴＫ）が浴槽側設定温度（ＴＢ）よりもかなり低い場合であっても、浴槽２００への落とし込み温度を浴槽側設定温度（ＴＢ）まで高めることが可能になる。
【００７８】
また電磁弁４４と直列に水量制御弁を配置し、再加熱される湯量のみを単独で調整し得るように構成してもよい。
【００７９】
各実施の形態では、熱交換器１３を再度経由させないために電磁弁４４を閉じるようにしたが、図６に示すように、電磁弁４４に代えて三方弁１５０を配置し、熱交換器１３を迂回するためのバイパス路１５１を、三方弁１５０の一の接続口と、追い焚き戻り管４２の所定箇所との間に設ける構成としてもよい。熱交換器１３を再経由させる場合には、三方弁１５０を矢印１５２で示すように連通させ、熱交換器１３を迂回させるときには三方弁１５０を矢印１５３で示すように連通させる。このようにすれば、熱交換器１３を迂回させて再加熱を回避する場合であっても、吸入口２０１と吐出口２０２の双方から浴槽２００内に湯を落とし込むことができるので（ダブル搬送状態になる）、湯張り完了までに要する時間を短縮することができる。
【００８０】
なお、実施の形態では、注湯電磁弁５１や混合水量制御弁６１の開度を調整しても、浴槽側設定温度（ＴＢ）と一致した温度で落とし込みができないときに、落とし込み動作を中断するようにしたが、温度が一致しない状態のままで落とし込み動作を継続し、落とし込み完了後などに所定の後処理を行って浴槽２００内の湯温を調整するようにしてもよい。
【００８１】
具体的には、落とし込み中に何度の湯が何リットル注湯されたかを常に計測してこれを記憶しておき、同時使用が終了した後や所定の水位まで注湯した後に、低温度の水を注湯したり、追い焚きを行う等の後処理を行うことで浴槽２００内の湯温を浴槽側設定温度（ＴＢ）と一致させる。このように、落とし込み動作を中断しない場合であっても、注湯と給湯との同時使用中に浴槽２００内に落とし込まれる湯の温度を浴槽側設定温度（ＴＢ）にできるだけ近づけるように制御しているので、後処理での温度補正量が少なく、湯張り完了までに要する時間は、従来のものに比べて短縮されることになる。
【００８２】
【発明の効果】
本発明にかかる一缶多水路型給湯風呂釜によれば、給湯と注湯とが同時使用されかつ給湯側設定温度が浴槽側設定温度より低いときだけ注湯連絡管から流れ込んだ水を熱交換器で再加熱し、給湯側設定温度が浴槽側設定温度より低くないときには注湯連絡管から流れ込んだ水を熱交換器で再加熱しないようにするとともに必要に応じて給水を混合するようにしたので、どのような設定温度で給湯側が使用されても、浴槽側設定温度に近い温度あるいは一致した温度で、注湯動作を継続することができ、湯張り完了までに要する時間を短縮することができる。
【００８３】
また、給水の混合量を調整することによって浴槽への注湯温度を浴槽側設定温度に一致させることができる間は再加熱状態を維持しておき、給水の混合量を最大にしても注湯温度が浴槽側設定温度より高くなるときだけ、非再加熱状態を形成するようにしたものでは、できるだけ熱交換器での再加熱を行うようにしているので、単位時間当たりの注湯流量が増加し、湯張り時間をより一層短縮することができる。
【図面の簡単な説明】
【図１】本発明の第１および第２の実施の形態に係る一缶多水路型給湯風呂釜の構成を示す説明図である。
【図２】本発明の第１の実施の形態に係る一缶多水路型給湯風呂釜の行う動作の流れを示す流れ図である。
【図３】本発明の第１の実施の形態に係る一缶多水路型給湯風呂釜の行う等温度初期制御処理を示す流れ図である。
【図４】本発明の第１の実施の形態に係る一缶多水路型給湯風呂釜の行う非再加熱初期制御処理を示す流れ図である。
【図５】本発明の第１の実施の形態に係る一缶多水路型給湯風呂釜の行う再加熱初期制御処理を示す流れ図である。
【図６】熱交換器を迂回するバイパス路を設けた一缶多水路型給湯風呂釜の構成を示す説明図である。
【符号の説明】
１０…一缶多水路型給湯風呂釜
１２…バーナ
１３…熱交換器
２０…給湯流路
２１…給湯系受熱管
２２…給水管
２３…給湯管
２４…水量センサ
２５…入水サーミスタ
２８…出湯側水量センサ
２９…出湯サーミスタ
４０…追い焚き用循環流路
４１…追い焚き受熱管
４２…追い焚き戻り管
４３…追い焚き往き管
４４…電磁弁
４５…合流箇所
４６…給水合流箇所
４７…落とし込みサーミスタ
４８…注湯水量センサ
４９…圧力センサ
５０…注湯連絡管
５１…注湯電磁弁
５２…注湯水量制御弁
６０…給水混合流路
６１…混合水量制御弁
６２…逆止弁
７１…循環ポンプ
７３…風呂サーミスタ
１００…制御部
１１１…設定温度比較手段
１１２…注湯経路切替制御手段
１１３…注湯流量制御手段
１１４…混合流量制御手段
１５０…三方弁
１５１…バイパス路
２００…浴槽
２０１…吸入口
２０２…吐出口
【図１】
0003981214.tif 000002
【図２】
0003981214.tif 000003
【図３】
0003981214.tif 000004
【図４】
0003981214.tif 000005
【図５】
0003981214.tif 000006
【図６】
0003981214.tif 000007